(57)【要約】      （修正有）【課題】コストの低減を図りつつ、床下の湿気を除去して、建物の耐久性を向上させることができる湿気除去システムを提供する。【解決手段】建物の湿気を除去する湿気除去システムであって、液体を貯える水槽（浴槽）１１と、建物の基礎上に載置され、水槽に連通する湿気除去管４１と、水槽内の液体を湿気除去管４１に循環させる循環手段４３と、水槽から湿気除去管４１内を循環する液体を濾過する濾過手段４５と、湿気除去管４１内に入り込んだ空気を湿気除去管４１から抜き出す空気抜き手段４７とを備えることを特徴とする。【選択図】図４
2009036409.tif 000002
【特許請求の範囲】
【請求項１】
建物の湿気を除去する湿気除去システムであって、
液体を貯える水槽と、
前記建物の基礎上に載置され、前記水槽に連通する湿気除去管と、
前記水槽内の液体を前記湿気除去管に循環させる循環手段と、
前記水槽から湿気除去管内を循環する前記液体を濾過する濾過手段と、
前記湿気除去管内に入り込んだ空気を前記湿気除去管から抜き出す空気抜き手段と
を備えることを特徴とする湿気除去システム。
【請求項２】
前記水槽は、浴室に設けられる浴槽であることを特徴とする請求項１に記載の湿気除去システム。
【請求項３】
前記湿気除去管は、１つの管であり、かつ、前記建物の１階各部屋の床下における前記基礎上全域に載置されることを特徴とする請求項１又は請求項２に記載の湿気除去システム。
【請求項４】
前記湿気除去管は、前記水槽内の前記液体を取り入れる液体取入口と、前記湿気除去管内の前記液体を前記水槽に排出する液体排出口とを備え、
前記濾過手段は、前記液体取入口近傍に配置されることを特徴とする請求項１乃至請求項３のいずれか１項に記載の湿気除去システム。
【請求項５】
前記循環手段は、前記濾過手段よりも前記液体排出口側に設けられていることを特徴とする請求項４に記載の湿気除去システム。
【請求項６】
前記空気抜き手段は、前記循環手段と前記濾過手段との間に設けられていることを特徴とする請求項４又は請求項５に記載の湿気除去システム。
【請求項７】
前記建物の床と前記基礎との間隔は、２００ｍｍ未満であることを特徴とする請求項１乃至請求項６のいずれか１項に記載の湿気除去システム。
【請求項８】
建物の最外層の内側に設けられ、通過する気体が太陽光の放射熱を吸収可能な熱吸収部と、
前記熱吸収部に前記気体を取り入れる気体取入部と、
前記熱吸収部を通過した前記気体を前記建物の室内に吹き出す気体吹出部と
を備えることを特徴とする請求項１乃至請求項７のいずれか１項に記載の湿気除去システム。
【請求項９】
前記気体取入部は、
前記建物の外壁側に設けられる外壁側外気取入口と、
前記建物の室内側に設けられる室内側内気取入口と、
前記建物の屋根側に設けられる屋根側外気取入口と、
前記建物の屋根裏側に設けられる屋根裏側内気取入口とによって構成され、
前記熱吸収部は、
前記外壁の裏面側に位置する外壁通路と、
前記屋根の裏面側に位置する屋根通路とによって構成されていることを特徴とする請求項８に記載の湿気除去システム。
【請求項１０】
前記外壁通路は、
前記外壁の裏面側に位置する外側外壁通路と、
前記外側外壁通路よりも内側に位置する内側外壁通路と
によって構成されていることを特徴とする請求項９に記載の湿気除去システム。
【請求項１１】
前記熱吸収部を通過した前記気体により暖められ、かつ、前記熱吸収部を通過した前記気体の温度を上昇可能な蓄熱材をさらに備えることを特徴とする請求項８乃至請求項１０のいずれか１項に記載の湿気除去システム。
【請求項１２】
前記蓄熱材は、
前記建物の床下に配置されている蓄熱層と、
前記熱吸収部の周囲に配置されている蓄熱シートと
によって構成されていることを特徴とする請求項１１に記載の湿気除去システム。
【請求項１３】
前記熱吸収部の内側に位置し、前記建物内の室温を保温する断熱材をさらに備えることを特徴とする請求項８乃至請求項１２のいずれか１項に記載の湿気除去システム。
【請求項１４】
前記熱吸収部を通過した前記気体を前記建物の床下に送り込む床下送風機をさらに備えることを特徴とする請求項８乃至請求項１３のいずれか１項に記載の湿気除去システム。
【請求項１５】
前記熱吸収部を通過した前記気体を前記建物の上方へ送り込む送風管と、
前記送風管を通過した前記気体を室内へ送り込む床上送風機と
をさらに備えることを特徴とする請求項８乃至請求項１４のいずれか１項に記載の湿気除去システム。
【発明の詳細な説明】
【技術分野】
【０００１】
本発明は、建物の湿気を除去する湿気除去システムに関する。
【背景技術】
【０００２】
従来から、木造住宅等の建物の湿気を除去するために、様々な提案がなされている。例えば、押入等の床に設けられかつ該押入の空気を取り入れる吸気口と、床下に設けられかつ該吸気口から取り入れた空気を室外に吐き出す排気口とを有するダクトが床下に配置される湿気除去システム（例えば、特許文献１参照）によって、室内の湿気の発生を抑制することが可能となる。
【特許文献１】特開２０００−１２１１２４号公報（第２頁−第３頁、第１図）
【発明の開示】
【発明が解決しようとする課題】
【０００３】
しかしながら、上述した従来の湿気除去システムでは、ダクトを床下に配置するために、大掛かりな作業が必要であり、コストが高くなってしまうとともに、押入等の室内よりも湿気が多いとされる床下の湿気の発生を抑制することができないという問題があった。
【０００４】
ところで、近年において、建物の高気密化や冬季の暖房等によって、床下に多量の湿気が発生してしまい、その湿気が外部への放出されにくいのが現状である。この湿気をそのまま放置しておくと、外気温度の低下や暖房等によって床下に結露が生じてしまう。この結露は、建物の木材に蟻害、かび、腐敗等を発生させしまうため、建物の耐久性を大幅に低下させてしまう。
【０００５】
そこで、本発明は、このような状況に鑑みてなされたものであり、コストの低減を図りつつ、床下の湿気を除去して、建物の耐久性を向上させることができる湿気除去システムを提供することを目的とする。
【課題を解決するための手段】
【０００６】
上述した課題を解決するため、本発明は、次のような特徴を有している。まず、本発明の第１の特徴に係る発明は、建物の湿気を除去する湿気除去システムであって、液体を貯える水槽と、建物の基礎上に載置され、水槽に連通する湿気除去管と、水槽内の液体を湿気除去管に循環させる循環手段と、水槽から湿気除去管内を循環する液体を濾過する濾過手段と、湿気除去管内に入り込んだ空気を湿気除去管から抜き出す空気抜き手段とを備えることを要旨とする。
【０００７】
かかる特徴によれば、湿気除去システムが、水槽と、湿気除去管と、循環手段と、濾過手段と、空気抜き手段とを備えることによって、コストの低減を図りつつ、床下の湿気を除去して、建物の耐久性を向上させることができる。
【０００８】
具体的には、湿気除去管を建物の基礎上に載置するのみであってもよいため、湿気除去管（例えば、ダクト）を固定する作業を要しなく、構造が簡単で施工が容易であるため、コストの低減を図ることができる。
【０００９】
また、水槽から湿気除去管内を液体（温水）が循環することにより建物の基礎を暖めることができるため、建物の高気密化や冬季の暖房等による床下と室内との温度差を少なくすることができ、床下に発生する湿気を軽減させることができる。これにより、結露を発生させることがないため、建物の木材（柱や土台など）に蟻害、かび、腐敗等を発生させることがなく、建物の耐久性を向上させることができる。
【００１０】
その他の特徴に係る発明は、水槽が、浴室に設けられる浴槽であることを要旨とする。
【００１１】
かかる特徴によれば、水槽が浴室に設けられる浴槽であることによって、浴槽とは別に水槽を設けることがなく、浴槽内の残り湯を利用することができるため、コストの低減をさらに図ることができる。
【００１２】
その他の特徴に係る発明は、湿気除去管は、１つの管であり、かつ、建物の１階各部屋の床下における基礎上全域に載置されることを要旨とする。
【００１３】
かかる特徴によれば、湿気除去管が１つの管であり、かつ、建物の１階各部屋の床下における基礎上全域に載置されることによって、建物の１階各部屋の床下における基礎上全域を暖めることができるため、建物の高気密化や冬季の暖房等による床下と室内との温度差を少なくすることができ、床下に発生する湿気をさらに軽減させることができる。
【００１４】
その他の特徴に係る発明は、湿気除去管が、水槽内の液体を取り入れる液体取入口と、湿気除去管内の液体を水槽に排出する液体排出口とを備え、濾過手段が、液体取入口近傍に配置されることを要旨とする。
【００１５】
かかる特徴によれば、濾過手段が液体取入口近傍に配置されることによって、浴槽内から流れてくる液体（温水）を清浄することができて、湿気除去管内を清潔に保つことができるため、湿気除去管内を循環する液体をスムーズに流すことができるとともに、再び水槽へ戻ってくる液体を清浄に保つことができる。
【００１６】
その他の特徴に係る発明は、循環手段が、濾過手段よりも排出口側に設けられていることを要旨とする。
【００１７】
その他の特徴に係る発明は、空気抜き手段が、循環手段と濾過手段との間に設けられていることを要旨とする。
【００１８】
かかる特徴によれば、空気抜き手段が循環手段と濾過手段との間に設けられていることによって、循環手段が正常に働き、循環手段の故障を軽減することができる。
【００１９】
その他の特徴に係る発明は、建物の床と基礎との間隔が、２００ｍｍ未満であることを要旨とする。
【００２０】
かかる特徴によれば、建物の床と基礎との間隔が２００ｍｍ未満であることによって、建物の基礎を暖めることができることに伴い、建物の床下の温度を上昇させるやすくなる。これにより、建物の高気密化や冬季の暖房等による床下と室内との温度差を少なくすることができ、床下に発生する湿気をさらに軽減させることができる。
【００２１】
その他の特徴に係る発明は、建物の最外層の内側に設けられ、通過する気体（空気（外気及び内気））が太陽光の放射熱を吸収可能な熱吸収部と、熱吸収部に気体を取り入れる気体取入部と、熱吸収部を通過した気体を建物の室内に吹き出す気体吹出部とを備えることを要旨とする。
【００２２】
かかる特徴によれば、通過する気体が太陽光の放射熱を吸収可能な熱吸収部と、熱吸収部に気体を取り入れる気体取入部と、熱吸収部を通過した気体を建物の室内に吹き出す気体吹出部とを室内暖房システムが備えることにより、手間やコストをかけることなく、自然エネルギーを利用することにより室内の温度を上昇させることができる。
【００２３】
具体的には、太陽光の放射熱を吸収可能な熱吸収部を気体が通過することにより、この気体は、太陽光の放射熱で暖められた最外層の内側（すなわち、熱吸収部）の温度と熱交換されて暖められる（温度が上昇する）。この暖められた気体を、建物の室内に吹き出すことにより、室内の温度を上昇させることができる。
【００２４】
また、特別な装置を使用しないため、設置費用などが安価で、かつ、メンテナンスする必要がない（すなわち、手間やコストをかけることがない）。さらに、熱吸収部が建物の最外層の内側に位置しているため、建物の外観や内観を損なうことがない。
【００２５】
その他の特徴に係る発明は、気体取入部が、建物の外壁側に設けられる外壁側外気取入口と、建物の室内側に設けられる室内側内気取入口と、建物の屋根側に設けられる屋根側外気取入口と、建物の屋根裏側に設けられる屋根裏側内気取入口とによって構成され、熱吸収部が、外壁の裏面側に位置する外壁通路と、屋根の裏面側に位置する屋根通路とによって構成されていることを要旨とする。
【００２６】
かかる特徴によれば、気体取入部が、外壁側外気取入口と、室内側内気取入口と、屋根側外気取入口と、屋根裏側内気取入口とによって構成され、熱吸収部が、外壁通路と、屋根通路とによって構成されていることにより、気体取入口から取り入れた気体（外気や内気）を太陽光の放射熱で暖められた外壁及び屋根の裏面側の温度と熱交換して暖めることができるため、効率的に室内の温度を上昇させることができる。
【００２７】
その他の特徴に係る発明は、外壁通路が、外壁の裏面側に位置する外側外壁通路と、外側外壁通路よりも内側に位置する内側外壁通路とによって構成されていることを要旨とする。
【００２８】
かかる特徴によれば、外壁通路が、外壁の裏面側に位置する外側外壁通路と、外側外壁通路よりも内側に位置する内側外壁通路とによって構成されていることにより、外気取入口から取り入れた気体（外気）の熱交換時間（太陽光の放射熱を吸収する時間）を長くすることができるため、さらに効率的に室内の温度を上昇させることができる。
【００２９】
その他の特徴に係る発明はは、熱吸収部を通過した気体により暖められ、かつ、熱吸収部を通過した気体の温度を上昇可能である蓄熱材を室内暖房システムがさらに備えることを要旨とする。
【００３０】
かかる特徴によれば、熱吸収部を通過した気体により暖められ、かつ、熱吸収部を通過した気体の温度を上昇可能な蓄熱材を室内暖房システムがさらに備えることにより、日中では、熱吸収部を通過した気体により蓄熱材が暖められ、夜間では、熱吸収部を通過した気体の温度を上昇させることができる。
【００３１】
すなわち、太陽光のない夜間においても、日中に暖められた蓄熱材を通過した気体（蓄熱材で暖められた外気や内気）を室内に吹き出すことが可能であるため、室内の温度を上昇させることができる。
【００３２】
その他の特徴に係る発明は、蓄熱材が、建物の床下に配置されている蓄熱層と、熱吸収部の周囲に配置されている蓄熱シートとによって構成されていることを要旨とする。
【００３３】
かかる特徴によれば、蓄熱材が、建物の床下に配置されている蓄熱層と、熱吸収部の周囲に配置されている蓄熱シートとによって構成されていることにより、建物の外観及び内観を損なうことなく、床下や熱吸収部の周囲のスペースを有効活用することができる。
【００３４】
本発明の第６の特徴は、熱吸収部の内側に位置し、建物内の室温を保温する断熱材を室内暖房システムがさらに備えることを要旨とする。
【００３５】
かかる特徴によれば、建物内の室温を保温する断熱材を室内暖房システムがさらに備えることにより、熱吸収部内の温度を保つことができるとともに、熱吸収部内を通過した気体によって暖められた室内の温度をも保つことができる。
【００３６】
その他の特徴に係る発明は、熱吸収部を通過した気体を建物の床下に送り込む床下送風機を室内暖房システムがさらに備えることを要旨とする。
【００３７】
かかる特徴によれば、熱吸収部を通過した気体を建物の床下に送り込む床下送風機を室内暖房システムがさらに備えることにより、熱吸収部を通過した気体を効率的に室内へ送風することができるため、より効率的に室内の温度を上昇させることができる。
【００３８】
その他の特徴に係る発明は、熱吸収部を通過した気体を建物の上方へ送り込む送風管と、送風管を通過した気体を室内へ送り込む床上送風機とを室内暖房システムがさらに備えることを要旨とする。
【００３９】
かかる特徴によれば、熱吸収部を通過した気体を建物の上方へ送り込む送風管と、送風管を通過した気体を室内へ送り込む床上送風機とを室内暖房システムがさらに備えることにより、送風管を通過した気体を建物の上方から吹き出すことができるため、例えば、２階建て以上の場合であっても、２階以上の室内の温度を効率的に上昇させることが可能となる。
【発明の効果】
【００４０】
本発明によれば、コストの低減を図りつつ、床下の湿気を除去して、建物の耐久性を向上させることができる湿気除去システムを提供することができる。
【発明を実施するための最良の形態】
【００４１】
次に、本発明に係る湿気除去システムの一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれていることは勿論である。
【００４２】
（湿気除去システム）
本実施の形態に係る湿気除去システムについて、図１〜図５を参照しながら説明する。図１は、本実施の形態に係る湿気除去システムを設置した建物の正面断面図であり、図２は、本実施の形態に係る湿気除去システムの屋根側拡大正面図であり、図３は、本実施の形態に係る湿気除去システムの外壁側拡大正面図であり、図４は、本実施の形態に係る湿気除去システムの建物床下平面図であり、図５は、本実施の形態に係る湿気除去システムの建物床下断面図である。
【００４３】
図１〜図５に示すように、湿気除去システム１は、気体（空気（外気及び内気）を取り入れることにより建物３の床下５に配置される基礎７を冷暖可能な気体式システム９と、浴槽１１に貯えられる液体（温水）により基礎７を冷暖可能な液体式システム１３とによって大略構成されている。
【００４４】
まず、気体式システム９について、図１〜図３を参照しながら説明する。図１〜図３に示すように、気体式システム９は、建物３の最外層の内側に設けられ、通過する外気が太陽光の反射熱を吸収可能な外気通路１５（熱吸収部）を備えている。この外気通路１５は、外壁１７の裏面側に位置する外壁通路１５ａと、屋根１９の裏面側に位置する屋根通路１５ｂとによって構成されている。
【００４５】
さらに、この外壁通路１５ａは、図３に示すように、外壁１７の裏面側に位置する外側外壁通路１５ａ−１と、外側外壁通路１５ａ−１よりも内側に位置する内側外壁通路１５ａ−２とによって構成されている。すなわち、外側外壁通路１５ａ−１と内側外壁通路１５ａ−２との間には、これらの通路を形成する中間層２１が設けられている。
【００４６】
また、気体式システム９は、外気通路１５に気体を取り入れる気体取入口２３（気体取入部）を備えている。この気体取入口２３は、建物３の外壁１７の下側に設けられる外壁側外気取入口２３ａと、建物３の室内側に設けられる室内側内気取入口２３ｂと、建物３屋根１９の上側に設けられる屋根側外気取入口２３ｃと、建物３の屋根裏側に設けられる屋根裏側内気取入口２３ｄとによって構成されている。
【００４７】
また、気体式システム９は、外気通路１５（外壁通路１５ａや屋根通路１５ｂ）を通過した気体（外気）を建物３の室内に吹き出す気体吹出口２５（気体吹出部）を備えている。この気体吹出口２５は、建物３の１階に配置される１階気体吹出口２５ａと、建物３の２階に配置される２階気体吹出口２５ｂとによって構成されている。
【００４８】
また、気体式システム９は、外気通路１５（外壁通路１５ａや屋根通路１５ｂ）を通過した気体（外気）により暖められ、かつ、外気通路１５を通過した気体の温度を上昇可能な基礎上に配置される蓄熱材２７をさらに備えている。具体的には、蓄熱材２７は、建物３の床下５に配置される蓄熱層２７ａ（例えば、割栗石や蓄熱レンガ、水蓄熱）と、外気通路１５の周囲に配置される蓄熱シート２７ｂ（例えば、潜熱蓄熱材）とによって構成されている。
【００４９】
また、気体式システム９は、建物３内に気体（外気）を送りやすくするための送風管２９と、気体を取り入れやすくするとともに、送風管２９を通過した気体を建物３の床下５に送り込む床下送風ファン３１（床下送風機）と、外気通路１５（外壁通路１５ａや屋根通路１５ｂ）の内側に位置し、建物３内の室温を保温する断熱材３３をさらに備えている。
【００５０】
さらに、気体式システム９は、外気通路１５（外壁通路１５ａや屋根通路１５ｂ）を通過した気体を建物３の上方（２階天井裏）へ送り込む送風管３５と、該送風管３５を通過した気体を室内へ送り込む天井裏送風ファン３７（床上送風機）とをさらに備えている。
【００５１】
次に、液体式システム１３について、図４及び図５を参照しながら説明する。図４及び図５に示すように、液体式システム１３は、水槽と、湿気除去管４１（パイプ等）と、循環手段４３（送湯ポンプ）と、濾過手段４５（濾過層）と、空気抜き手段４７とを備えている。
【００５２】
水槽は、液体を貯える槽であり、本実施の形態では、浴室に設けられる浴槽１１であるものとする。なお、浴室と外壁１７との間（基礎７上を含む）には、浴室の室温を保温する浴室断熱材４９が設けられている。
【００５３】
この浴槽１１には、後述する湿気除去管４１における液体取入口４１ａが取り付けられる取入孔１１ａと、後述する湿気除去管４１における液体排出口４１ｂが取り付けられる排出孔１１ｂとが形成されている。
【００５４】
湿気除去管４１は、建物３の基礎７（蓄熱層２７ａ）上に載置され、浴槽１１に連通する
ものである。この湿気除去管４１は、浴槽１１内の液体を取り入れる液体取入口４１ａと、湿気除去管４１内の液体を浴槽１１に排出する液体排出口４１ｂとを備えている。
【００５５】
湿気除去管４１は、１つの管であり、かつ、建物３の１階各部屋の床下５における基礎（蓄熱層２７ａ）上全域にジグザグ状に折返しながら載置されている。なお、湿気除去管４１は、湿気除去管４１の水圧によって基礎（蓄熱層２７ａ）上で動かないように、例えば、支持部材（例えば、支持軸）により折返し部分が支持されてもよく、固定部材（例えば、ネジや接着剤）により基礎上（蓄熱層２７ａ）に固定されるものであっても勿論よい。
【００５６】
循環手段４３は、浴槽１１内の液体を湿気除去管４１に循環させるものである。この循環手段４３は、濾過手段４５よりも湿気除去管４１における液体排出口４１ｂ側に設けられていることが好ましい。
【００５７】
濾過手段４５は、浴槽１１から湿気除去管内を循環する液体を濾過するものである。この濾過手段４５は、濾過手段は、湿気除去管４１における液体取入口４１ａ近傍に配置されていることが好ましい。
【００５８】
空気抜き手段４７は、湿気除去管４１内に入り込んだ空気を湿気除去管４１から抜き出すものである。この空気抜き手段４７は、循環手段４３と濾過手段４５との間に設けられていることが好ましい。
【００５９】
ここで、建物３の床と基礎７との間隔（Ｓ）は、２００ｍｍ未満であること（いわゆる、底上基礎構造）が好ましい。この間隔（Ｓ）２００ｍｍよりも大きいと、建物３の床下５空間が広くなってしまうことに伴い、該床下５の温度を上昇させずらくなってしまい、床下５に発生する湿気を軽減させることが難しい場合がある。
【００６０】
（気体式システムにおける室温上昇過程（日中））
次に、本実施の形態に係る気体式システムを利用した際の冬季日中の室温上昇過程について、図面を参照しながら説明する。図６は、本実施の形態に係る気体式システムを利用した際の冬季日中の室温上昇過程を示すフロー図である。
【００６１】
図６に示すように、ステップ１０１において、外気は、気体取入口２３（外壁側外気取入口２３ａや屋根側外気取入口２３ｃ）から取り入れられて、外気通路１５（外壁通路１５ａや屋根通路１５ｂ）へ送り込まれる。
【００６２】
ステップ１０２において、外気通路１５へ送り込まれた外気は、太陽光で暖められた外気通路１５内の温度や室内側内気取入口２３ｂから取り入られた外気よりも温かい内気と熱交換されて暖められる（温度が上昇する）。この時、外気通路１５へ送り込まれた外気は、蓄熱シート２７ｂを暖めながら外気通路１５（外側外壁通路１５ａ−１や内側外壁通路１５ａ−２、屋根通路１５ｂ）を通過する。
【００６３】
ステップ１０３において、外気通路１５を通過した外気は、蓄熱層２７ａ及び該蓄熱層２７ａを介して基礎７を暖めながら送風管２９を通過する。
【００６４】
ステップ１０４において、蓄熱層２７ａを通過した外気は、室内に設けられる気体吹出口２５から吹き出すことにより、室内の温度を上昇させる。
【００６５】
（気体式システムにおける室温上昇過程（夜間））
次に、本実施の形態に係る気体式システムを利用した際の冬季夜間の室温上昇過程について、図面を参照しながら説明する。図７は、本実施の形態に係る気体式システムを利用した際の冬季夜間の室温上昇過程を示すフロー図である。
【００６６】
図７に示すように、ステップ２０１において、外気は、気体取入口２３（外壁側外気取入口２３ａや屋根側外気取入口２３ｃ）から取り入れられて、外気通路１５（外壁通路１５ａや屋根通路１５ｂ）へ送り込まれる。
【００６７】
ステップ２０２において、外気通路１５へ送り込まれた外気は、外気通路１５内の温度や室内側内気取入口２３ｂから取り入られた外気よりも温かい内気と熱交換されて暖められる（温度が上昇する）。すなわち、外気通路１５へ送り込まれた外気は、日中に暖められた蓄熱シート２７ｂによって暖められる。
【００６８】
ステップ２０３において、外気通路１５を通過した外気は、蓄熱層２７ａを通過する。すなわち、外気通路１５を通過した外気は、ステップ２０２において日中よりも温度の上昇が少ない場合であっても、日中に暖められた蓄熱層２７ａを通過することにより、この蓄熱層２７ａと熱交換されて暖められる。
【００６９】
ステップ１０４において、蓄熱層２７ａを通過した外気は、室内に設けられる気体吹出口２５から吹き出すことにより、室内の温度を上昇させる。
【００７０】
なお、以上のように、気体式システム９は、冬季日中や冬季夜間で利用されるものとして説明したが、これに限定されるものではなく、夏季においても利用することが可能である。具体的には、気体式システム９は、夏季では外気が冷えている時間（例えば、夜中や早朝）に床下送風ファン３１を運転させて、冷えている外気を外気通路１５や送風管２９に送り込み、蓄熱材２７（蓄熱層２７ａや蓄熱シート２７ｂ）を冷やす。これにより、夏季における日中や夜間においても、冷やされた蓄熱材２７を外気が通過し、外気が熱交換されて、冷やされた外気が気体吹出口２５から吹き出すことにより、室内の温度を下降させることが可能となる。
【００７１】
（液体式システムにおける室温上昇過程）
次に、本実施の形態に係る液体式システムを利用した際の冬季（日中や夜間）の室温上昇過程について、図面を参照しながら説明する。図８は、本実施の形態に係る液体式システムを利用した際の冬季の室温上昇過程を示すフロー図である。
【００７２】
図８に示すように、ステップ３０１において、浴槽１１に貯えられた液体（温水や残り湯）は、循環手段４３が運転されることにより、湿気除去管４１における液体取入口４１ａから湿気除去管４１へ入り込む。
【００７３】
ステップ３０２において、液体取入口４１ａから湿気除去管４１へ入り込んだ液体は、湿気除去管４１を循環する。
【００７４】
ステップ３０３において、ステップ３０１で液体取入口４１ａから湿気除去管４１へ入り込む際、湿気除去管４１に入ってしまった空気は、空気抜き手段４７により取り除かれて、浴槽１１内で汚れてしまった液体は、濾過手段４５により濾過される。
【００７５】
ステップ３０４において、湿気除去管４１内を循環する液体は、気体式システム９により暖められた基礎７や蓄熱層２７ａ上を通過することにより、温度を低下させずに通過するため、基礎７や蓄熱層２７ａを暖めつつ、室内の温度の低下を抑制することが可能となる。
【００７６】
ステップ３０５において、湿気除去管４１内を循環する液体は、暖められたまま、湿気除去管４１における液体排出口４１ｂから浴槽１１へ入り込み、この入り込んだ分、液体取入口４１ａから湿気除去管４１へ入り込む。すなわち、浴槽１１内の液体が全て捨てられた場合であっても、湿気除去管４１内には液体が常に存在する。
【００７７】
なお、以上のように、液体式システム１３は、冬季（日中や夜間）で利用されるものとして説明したが、これに限定されるものではなく、夏季においても利用することが可能である。具体的には、液体式システム１３は、液体として冷水を湿気除去管４１内に循環させることにより蓄熱層２７ａを冷やす。これにより、液体は、湿気除去管４１内で冷やされた蓄熱層２７ａ上を循環するため、建物３の床下５を冷やすことが可能となる。
【００７８】
すなわち、気体式システム９及び液体式システム１３を同時に利用することによって、蓄熱層２７ａは常に冷やされていることになり、送風管２９を通過する外気が熱交換されて、冷やされた外気が気体吹出口２５から吹き出すことにより、室内の温度を下降させることが可能となる。
【００７９】
（作用・効果）
以上説明した本実施の形態に係る湿気除去システム１における液体式システム１３によれば、水槽（浴槽１１）と、湿気除去管４１と、循環手段４３と、濾過手段４５と、空気抜き手段４７とを備えることによって、コストの低減を図りつつ、床下５の湿気を除去して、建物３の耐久性を向上させることができる。
【００８０】
具体的には、湿気除去管４１を建物３の基礎７上に載置するのみであってもよいため、湿気除去管４１（例えば、ダクト）を固定する作業を要しなく、構造が簡単で施工が容易であるため、コストの低減を図ることができる。
【００８１】
また、浴槽１１から湿気除去管４１内を液体（温水）が循環することにより建物３の基礎７を暖めることができるため、建物３の高気密化や冬季の暖房等による床下５と室内との温度差を少なくすることができ、床下５に発生する湿気を軽減させることができる。これにより、結露を発生させることがないため、建物３の木材（柱や土台など）に蟻害、かび、腐敗等を発生させることがなく、建物３の耐久性を向上させることができる。
【００８２】
また、水槽が浴室に設けられる浴槽１１であることによって、浴槽とは別に水槽を設けることがなく、浴槽１１内の残り湯を利用することができるため、コストの低減をさらに図ることができる。
【００８３】
また、湿気除去管４１が１つの管であり、かつ、建物３の１階各部屋の床下５における基礎７上全域に載置されることによって、建物３の１階各部屋の床下５における基礎７上全域を暖めることができるため、建物３の高気密化や冬季の暖房等による床下５と室内との温度差を少なくすることができ、床下５に発生する湿気をさらに軽減させることができる。
【００８４】
また、濾過手段４５が液体取入口４１ａ近傍に配置されることによって、浴槽１１内から流れてくる液体（温水）を清浄することができて、湿気除去管４１内を清潔に保つことができるため、湿気除去管４１内を循環する液体をスムーズに流すことができるとともに、再び浴槽１１へ戻ってくる液体を清浄に保つことができる。
【００８５】
また、空気抜き手段４７が循環手段４３と濾過手段４５との間に設けられていることによって、循環手段４３が正常に働き、循環手段４３の故障を軽減することができる。
【００８６】
さらに、建物３の床と基礎７との間隔（Ｓ）が２００ｍ未満であることによって、建物３の基礎７を暖めることができることに伴い、建物３の床下５の温度を上昇させるやすくなる。これにより、建物３の高気密化や冬季の暖房等による床下と室内との温度差を少なくすることができ、床下５に発生する湿気をさらに軽減させることができる。
【００８７】
本実施の形態に係る湿気除去システム１における気体式システム９によれば、通過する気体（空気（外気及び内気））が太陽光の放射熱を吸収可能な外気通路１５と、外気通路１５に気体（外気）を取り入れる気体取入口２３と、外気通路１５を通過した外気を建物３の室内に吹き出す気体吹出口２５とを備えることにより、手間やコストをかけることなく、自然エネルギーを利用することにより室内の温度を上昇させることができる。
【００８８】
ここで、冬季において、太陽光を受ける建物３の最外層（外壁１７や屋根１９）の表面温度は４５〜５５℃になり、建物３の最外層の内側に設けられる外気通路１５は４０〜４３℃となる。このため、気体取入口２３から取り入れた外気は、外気通路１５を通過することにより、太陽光の放射熱で暖められた最外層の内側（すなわち、外気通路１５）の温度や、室内側内気取入口２３ｂから取り入られた外気よりも温かい内気と熱交換されて暖められる（温度が上昇する）。この暖められた外気を、室内に設けられる気体吹出口２５から吹き出すことにより、室内の温度を上昇させることができる。
【００８９】
また、特別な装置を使用しないため、設置費用などが安価で、かつメンテナンスする必要がない（すなわち、手間やコストをかけることがない）。さらに、外気通路１５が建物３の最外層の内側に位置しているため、建物３の外観や内観を損なうことがない。
【００９０】
また、気体取入口２３が、外壁側外気取入口２３ａと、室内側内気取入口２３ｂと、屋根側外気取入口２３ｃと、屋根裏側内気取入口２３ｄとによって構成され、外気通路１５（熱吸収部）が、外壁通路１５ａと、屋根通路１５ｂとによって構成されていることにより、外気取入口２３から取り入れた気体を太陽光の放射熱で暖められた外壁１７及び屋根１９の裏面側の温度と熱交換して暖めることができるため、効率的に室内の温度を上昇させることができる。
【００９１】
また、外壁通路１５ａが、外壁１７の裏面側に位置する外側外壁通路１５ａ−１と、外側外壁通路１５ａ−１よりも内側に位置する内側外壁通路１５ａ−２とによって構成されていることにより、気体取入口２３から取り入れた気体の熱交換時間（太陽光の放射熱を吸収する時間）を長くすることができるため、さらに効率的に室内の温度を上昇させることができる。
【００９２】
また、外気通路１５を通過した気体により暖められ、かつ、外気通路１５を通過した気体の温度を上昇可能な蓄熱材２７をさらに備えることにより、日中では、外気通路１５を通過した気体により蓄熱材２７が暖められ、夜間では、外気通路１５を通過した気体の温度を上昇させることができる。
【００９３】
すなわち、太陽光のない夜間においても、日中に暖められた蓄熱材２７を通過した外気（蓄熱材２７で暖められた外気）を室内に吹き出すことが可能であるため、室内の温度を上昇させることができる。
【００９４】
また、蓄熱材２７が、建物の床下に配置されている蓄熱層２７ａと、外気通路１５の周囲に配置されている蓄熱シート２７ｂとによって構成されていることにより、建物３の外観及び内観を損なうことなく、建物３の床下５や外気通路１５の周囲のスペースを有効活用することができる。
【００９５】
また、建物３内の室温を保温する断熱材３３をさらに備えることにより、外気通路１５内の温度を保つことができるとともに、外気通路１５内を通過した気体によって暖められた室内の温度をも保つことができる。
【００９６】
また、外気通路１５を通過した気体を建物３の床下５に送り込む床下送風ファン３１をさらに備えることにより、外気通路１５を通過した気体を効率的に室内へ送風することができるため、より効率的に室内の温度を上昇させることができる。
【００９７】
さらに、外気通路１５を通過した気体を建物の上方（２階天井裏）へ送り込む送風管３５と、送風管３５を通過した気体を室内へ送り込む天井裏送風ファン３７とをさらに備えることにより、送風管３５を通過した気体を建物３の上方（天井側）から吹き出すことができるため、例えば、２階建て以上の場合であっても、２階以上の室内の温度を効率的に上昇させることが可能となる。
【００９８】
このように、本実施の形態に係る気体式システムは、自然エネルギーを利用することにより、二酸化炭素の削減を実現することができ、地球温暖化の防止に寄与することが可能であるとともに、送風ファンの電力以外のランニングコストをかからなくすることができる。
【００９９】
また、特別な装置を使用しないため、設置費用などが安価で、かつメンテナンスする必要がないため、耐久年数に優れている。また、建築基準法で義務づけられている２４時間換気システムの給気口とすることができ、特別に給気口を設けることがないため、建物３の建築費用を削減することが可能となる。さらに、外気通路１５内を気体が通過することにより、外気通路１５内の結露の発生を防ぎ、腐朽菌の発生をも防ぐことができるため、建物３の耐久年数を延ばすことができる。
【０１００】
本実施の形態に係る湿気除去システム１によれば、気体式システム９及び液体式システム１３を同時に利用することによって、冬季では蓄熱材２７（蓄熱層２７ａ及び蓄熱シート２７ｂ）が常に暖められることになり、送風管２９を通過する気体（外気）が熱交換されて、暖められた外気が気体吹出口２５から吹き出すことにより、室内の温度を上昇させることが可能となる。
【０１０１】
また、夏季においては、蓄熱層２７ａは常に冷やされていることになり、送風管２９を通過する気体（外気）が熱交換されて、冷やされた外気が気体吹出口２５から吹き出すことにより、室内の温度を下降させることが可能となる。
【０１０２】
特に、冬季においては、建物３の基礎７が常に暖められるため、建物３の床下５と室内との温度差を少なくすることができ、床下５に発生する湿気を軽減させることは勿論、長時間にわたり室内を暖めることができる。
【０１０３】
気体式システム９及び液体式システム１３を同時に利用することによって、浴槽１１内の液体温度（以下、湯温）が４１〜４２度で、夜間に６時間運転させた場合であっても湯温が２７〜２８度を保つことができ、床下の温度（以下、床温）を２６度程度に保つことができる。このように、建物３の床下５を暖めることにより、床下５の湿度により木材不朽菌が繁殖できない２７〜３５％を維持することができるため、建物３の木材に蟻害、かび、腐敗等を発生させることがなく、建物３の耐久性を向上させることができる。
【０１０４】
（変更例１）
上述したように、本発明の一実施の形態を通じて本発明の内容を開示したが、この開示の一部をなす論述及び図面は、本発明を限定するものであると理解すべきではない。この開示から当業者には様々な代替実施の形態、実施例及び運用技術が明らかになろう。
【０１０５】
例えば、上述した実施の形態では、外側外壁通路１５ａ−１と内側外壁通路１５ａ−２との間には、これらの通路を形成する中間層２１が設けられているものとして説明したが、本発明は、以下のように変更することができる。
【０１０６】
図９は、変更例１に係る湿気除去システムの外壁側拡大正面図である。以下、上述した本発明の実施の形態に係る湿気除去システムと相違する部分を主として説明する。
【０１０７】
図９に示すように、室内暖房システムを構成する外壁通路１５ａは、外壁の裏面側に位置する外側外壁通路１５ａ−１と、外側外壁通路１５ａ−１よりも内側に位置する内側外壁通路１５ａ−２とによって構成されている。
【０１０８】
この内側外壁通路１５ａ−２は、外側外壁通路の内側に位置する第１の内側外壁通路１５ａ−２Ａと、第１の内側外壁通路１５ａ−２Ａの内側に位置する第２の内側外壁通路１５ａ−２Ｂと、第２の内側外壁通路１５ａ−２Ｂの内側に位置する第３の内側外壁通路１５ａ−２Ｃとによって構成されている。すなわち、外側外壁通路１５ａ−１から第３の内側外壁通路１５ａ−２Ｃまでの間には、通路を形成する中間層２１ａ〜２１ｃの３層が設けられている。
【０１０９】
このように、複数の内側外壁通路１５ａが形成されていることにより、気体取入口２３から取り入れた気体（外気）の熱交換時間（太陽光の放射熱を吸収する時間）を長くすることができるため、さらに効率的に室内の温度を上昇させることができる。
【０１１０】
［その他の実施の形態］
上述したように、本発明の実施の形態及び変更例を通じて本発明の内容を開示したが、この開示の一部をなす論述及び図面は、本発明を限定するものであると理解すべきではない。
【０１１１】
具体的には、気体式システム９は、外気通路１５（熱吸収部）と、気体取入口２３（気体取入部）と、気体吹出口２５（気体吹出部）を少なくとも備えていればよい。
【０１１２】
例えば、気体吹出口２５（１階気体吹出口２５ａ及び２階気体吹出口２５ｂ）は、室内の床や天井に設けられているものとして説明したが、これに限定されるものではなく、室内の壁に設けられていてもよい。すなわち、気体吹出口２５は、蓄熱層２７ａを通過した気体を吹き出すものとして説明したが、これに限定されるものではなく、外気通路１５（外壁通路１５ａや屋根通路１５ｂ）を通過した気体を室内へ直接吹き出すものであってもよい。
【０１１３】
また、熱吸収部は、外気通路１５であるものとして説明したが、これに限定されるものではなく、気体が通過可能なもの（例えば、パイプ）であっても勿論よい。
【０１１４】
さらに、液体式システム１３において、水槽として浴室に設けられる浴槽１１であるものとして説明するが、これに限定されるものではなく、浴槽１１とは別に水槽が設けられていてもよい。特に、液体式システム１３を夏季に利用する場合には、湿気除去管４１内を冷水が循環することが好ましいため、浴槽１１内の温水や残り湯の温度の低下を避けることを考えると、浴槽とは別に設けられた水槽に冷水を貯えることが好ましい。
【０１１５】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【０１１６】
【図１】本実施の形態に係る湿気除去システムを設置した建物の正面断面図である。
【図２】本実施の形態に係る湿気除去システムの屋根側拡大正面図である。
【図３】本実施の形態に係る湿気除去システムの外壁側拡大正面図である。
【図４】本実施の形態に係る湿気除去システムの建物床下平面図である。
【図５】本実施の形態に係る湿気除去システムの建物床下断面図である。
【図６】本実施の形態に係る気体式システムを利用した際の冬季日中の室温上昇過程を示すフロー図である。
【図７】本実施の形態に係る気体式システムを利用した際の冬季夜間の室温上昇過程を示すフロー図である。
【図８】本実施の形態に係る液体式システムを利用した際の冬季の室温上昇過程を示すフロー図である。
【図９】変更例１に係る湿気除去システムの外壁側拡大正面図である。
【符号の説明】
【０１１７】
１…湿気除去システム、３…建物、５…床下、７…基礎、９…気体式システム、１１…浴槽、１１ａ…取入孔、１１ｂ…排出孔、１３…液体式システム、１５…外気通路、１５ａ…外壁通路、１５ａ−１…外側外壁通路、１５ａ−２…内側外壁通路、１５ａ−２Ａ…第１の内側外壁通路、１５ａ−２Ｂ…第２の内側外壁通路、１５ａ−２Ｃ…第３の内側外壁通路、１５ｂ…屋根通路、１７…外壁、１９…屋根、２１，２１ａ〜２１ｃ…中間層、２３…気体取入口、２３ａ…外壁側外気取入口、２３ｂ…室内側内気取入口、２３ｂ…屋根側外気取入口、２３ｄ…屋根裏側内気取入口、２５…気体吹出口、２５ａ…１階気体吹出口、２５ｂ…２階気体吹出口、２７…蓄熱材、２７ａ…蓄熱層、２７ｂ…蓄熱シート、２９…送風管、３１…床下送風ファン、３３…断熱材、３５…気体吹出口、３５…送風管、３７…天井裏送風ファン、４１…湿気除去管、４１ａ…液体取入口、４１ｂ…液体排出口、４３…循環手段、４５…濾過手段、４７…空気抜き手段、４９…浴室断熱材
【図１】
2009036409.tif 000003
【図２】
2009036409.tif 000004
【図３】
2009036409.tif 000005
【図４】
2009036409.tif 000006
【図５】
2009036409.tif 000007
【図６】
2009036409.tif 000008
【図７】
2009036409.tif 000009
【図８】
2009036409.tif 000010
【図９】
2009036409.tif 000011